(57)【要約】    【課題】      携帯無線装置の周辺の環境状況に応じて、当該携帯無線装置内の不在着信、未読、未返信メールの通知を行うことで、無駄な通知をなくして、バッテリを長持ちさせ、又、周囲の人にも迷惑をかけることのない不在着信、未読、未返信メールの存在を通知すること。    【解決手段】  不在着信、未読、未返信メールの有無を検出するメール情報検出部１０１と、携帯無線装置に加えられる予め定めた環境データを検出すると共に、検出した環境データの値が所定の値以上であるか否かを示す検出結果を出力する状況検出部１０２と、メール情報検出部からの検出出力と、状況検出部からの検出出力に基づき、通知部の通知頻度を制御する通知方法制御部１０３とからなる。  【選択図】      図１
2006094421.tif 000002
【特許請求の範囲】
【請求項１】
不在着信、未読、未返信メールの存在を通知する通知部と、
不在着信、未読、未返信メールの有無を検出するメール情報検出部と、
前記携帯無線装置に加えられる予め定めた環境データを検出すると共に、検出した環境データの値が所定の値以上であるか否かを示す検出結果を出力する状況検出部と、
前記メール情報検出部からの検出出力と、前記状況検出部からの検出出力に基づき、前記通知部の通知頻度を制御する通知方法制御部とからなることを特徴とする携帯無線装置。
【請求項２】
前記状況検出部が、当該携帯無線装置に加わる振動量を検出する振動量検出部を具備し、前記振動量検出部により検出した振動量が大きい時には、前記通知方法制御部は、不在着信、未読、未返信メールの通知頻度を下げるように前記通知部を制御し、振動量が小さい場合には、通知頻度を上げるように前記通知部を制御することを特徴とする請求項１記載の携帯無線装置。
【請求項３】
前記状況検出部が、当該携帯無線装置周辺の騒音量を検出する騒音量検出部を具備し、前記騒音量検出部により検出した騒音が大きい時には、前記通知方法制御部は、不在着信、未読、未返信メールの通知頻度を下げように前記通知部を制御し、騒音が小さい場合には、通知頻度を上げるように前記通知部を制御することを特徴とする請求項１記載の携帯無線装置。
【請求項４】
前記不在着信、未読、未返信メールの通知頻度を下げる制御は、通知を停止する制御を含むことを特徴とする請求項２又は請求項３記載の携帯無線装置。
【請求項５】
前記状況検出部が、当該携帯無線装置に加わる振動量を検出する振動量検出部と、当該携帯無線装置周辺の騒音量を検出する騒音量検出部とを具備し、前記状況検出部が、振動量が大きく、騒音が小さいことを検出したとき、前記通知方法制御部は、不在着信、未読、未返信メールの通知を音で行うように前記通知部を制御し、騒音が大きく、振動量が小さいことを検出したとき、前記通知方法制御部は、不在着信、未読、未返信メールの通知を振動で行うように前記通知部を制御することを特徴とする請求項１又は請求項２記載の携帯無線装置。
【請求項６】
不在着信、未読、未返信メールの存在を通知する通知部と、
不在着信、未読、未返信メールの有無を検出するメール情報検出部と、
当該携帯無線装置が、通信圏外地域に進入すると予測される状況を検出する圏外進入検出部と、
前記メール情報検出部からの検出出力と、前記圏外進入検出部からの検出出力に基づき、前記通知部が不在着信、未読、未返信メールの存在を通知する通知出力を出力するように、前記通知部を制御する通知方法制御部とからなることを特徴とする携帯無線装置。
【請求項７】
不在着信、未読、未返信メールの存在を通知する通知部と、
不在着信、未読、未返信メールの有無を検出するメール情報検出部と、
当該携帯無線装置のバッテリ残量が少なくなった状態を検出するバッテリ残量検出部と、
前記メール情報検出部からの検出出力と、前記バッテリ残量検出部からの検出出力に基づき、前記通知部が不在着信、未読、未返信メールの存在を通知する通知出力を出力するように、前記通知部を制御する通知方法制御部とからなることを特徴とする携帯無線装置。
【請求項８】
不在着信、未読、未返信メールの存在を検出する第１ステップと、
当該携帯無線装置に加えられる予め定めた環境データを検出すると共に、検出した環境データの値が所定の値以上であるか否かを示す検出結果を出力する第２ステップと、
前記第１ステップで検出した検出出力と、前記第２ステップからの検出出力に基づき、所定の通知頻度で、前記不在着信、未読、未返信メールの存在を通知する第３ステップと、
からなることを特徴とする不在着信、未読、未返信メールの存在を通知する通知方法。
【請求項９】
不在着信、未読、未返信メールの存在を検出する第１ステップと、
当該携帯無線装置が、通信圏外地域に進入すると予測される状況を検出する第２ステップと、
前記第１ステップで検出した検出出力と、前記第２ステップで検出した検出出力に基づき、前記不在着信、未読、未返信メールの存在を通知する第３ステップと、
からなることを特徴とする不在着信、未読、未返信メールの存在を通知する通知方法。
【請求項１０】
不在着信、未読、未返信メールの存在を検出する第１ステップと、
当該携帯無線装置のバッテリ残量が少なくなった状態を検出する第２ステップと、
前記第１ステップで検出した検出出力と、前記第２ステップで検出した検出出力に基づき、前記不在着信、未読、未返信メールの存在を通知する第３ステップと、
からなることを特徴とする不在着信、未読、未返信メールの存在を通知する通知方法。
【発明の詳細な説明】
【技術分野】
【０００１】
本発明は、不在着信、未読、未返信メールの存在を通知する携帯無線装置及びその通知方法に関する。
【背景技術】
【０００２】
近年、携帯電話、ＰＨＳ(Personal Handy Phone System)などの移動電話装置が急速に普及している。また、移動電話装置において、電子メールを送受信するシステムも普及し、利用者の電子メール利用頻度も日増しに高まっている。
【０００３】
電話機能や電子メール機能として、着信やメールの受信を通知する機能があるが、その通知は、音、光、振動、画面に表示する等の方法を用いて行われている。
【０００４】
しかしながら、着信、メール受信の通知を行う場合であっても、通知に気づかない場合や、その通知には気づいたが、何らかの理由で利用者が、着信へのリダイアルやメールを読む操作を行わないまま、放置してしまうという問題があった。また、返信が必要であるメールを受信したにもかかわらず、返信操作を忘れ、放置してしまうという問題があった。
【０００５】
未読メールを未読のまま残らないようにする方法として、例えば、以下の特許文献１に開示される通知システムでは、未読メールが存在する場合、設定した再報知時間が経過すると、再びメッセージがポップアップ表示されて、未読メールがあることを知らせる制御を行っている。このように、未読メールの存在を時間で制御して再通知することで、未読メールが未読のまま残ることを防ぐことができる。
【０００６】
又、返信が必要なメールに対しての返信忘れを防止する機能として、以下の特許文献２に開示される通知システムでは、期日指定を含むメールを受信した場合に、その期日より少し前の日時を指定日時とし、現在日時がその指定日時に達したときに、そのメールを自動的に開封して表示させ、利用者に対する通知を行うという制御を行っている。このような時間による制御を行うことで、返信が必要なメールに対する返信操作忘れを回避することができる。
【特許文献１】特開２０００−１４８６０７号公報（第１ページ、要約）
【特許文献２】特開平１１−２０３２１５号公報（第１ページ、要約）
【発明の開示】
【発明が解決しようとする課題】
【０００７】
しかしながら、従来技術のように、時間だけで制御して不在着信、未読、未返信メールの通知を行ってしまうと、通知が無駄になる場合がある。たとえば、利用者が現在歩行中である時にバイブレーションによる通知が行われても、利用者は、すでに歩行による振動を感じているため、バイブレーションによる通知に気づきにくいという問題がある。
【０００８】
また、利用者が、現在騒音が大きな場所に滞在している時に、音による通知が行われても、周囲の騒音にさえぎられ、通知に気づきにくいという問題がある。このように通知に気づきにくい状況で無駄な通知が行われた場合、電池を無駄に消費することになり、また他人への迷惑にもなる。
【０００９】
また、携帯無線装置保持者が、通信圏外の地域に滞在している時に、不在着信、未返信メールの通知が行われても、不在着信のリダイアル、未返信メールへの返信等の応答は、通信圏外のためできないという問題がある。
【００１０】
また、不在着信、未読、未返信メールが存在するにもかかわらず、携帯無線装置が現在バッテリ残量が少ない場合やバッテリ切れの場合、不在着信のリダイアル、未返信メールへの返信等の応答をしようとしても、携帯無線装置の操作ができないという問題がある。
【００１１】
本発明は、かかる点に鑑みてなされたものであり、携帯無線装置の周辺の環境状況や、携帯無線装置の位置や、携帯無線装置の装置内の状況に応じて、当該携帯無線装置内の不在着信、未読、未返信メールの通知を行うことで、無駄な通知をなくして、バッテリを長持ちさせ、又、周囲の人にも迷惑をかけることのない新規な不在着信、未読、未返信メールの存在を通知する携帯無線装置及びその通知方法を提供することを目的とする。
【課題を解決するための手段】
【００１２】
本発明の携帯無線装置は、不在着信、未読、未返信メールの存在を通知する通知部と、不在着信、未読、未返信メールの有無を検出するメール情報検出部と、前記携帯無線装置に加えられる予め定めた環境データを検出すると共に、検出した環境データの値が所定の値以上であるか否かを示す検出結果を出力する状況検出部と、前記メール情報検出部からの検出出力と、前記状況検出部からの検出出力に基づき、前記通知部の通知頻度を制御する通知方法制御部とからなる構成を採る。
【００１３】
又、本発明の携帯無線装置は、前記状況検出部が、当該携帯無線装置に加わる振動量を検出する振動量検出部を具備し、前記振動量検出部により検出した振動量が大きい時には、前記通知方法制御部は、不在着信、未読、未返信メールの通知頻度を下げるように前記通知部を制御し、振動量が小さい場合には、通知頻度を上げるように前記通知部を制御する構成を採る。
【００１４】
又、本発明の携帯無線装置は、前記状況検出部が、当該携帯無線装置周辺の騒音量を検出する騒音量検出部を具備し、前記騒音量検出部により検出した騒音が大きい時には、前記通知方法制御部は、不在着信、未読、未返信メールの通知頻度を下げように前記通知部を制御し、騒音が小さい場合には、通知頻度を上げるように前記通知部を制御する構成を採る。
【００１５】
又、本発明の携帯無線装置は、前記不在着信、未読、未返信メールの通知頻度を下げる制御は、通知を停止する制御を含む構成を採る。
【００１６】
又、本発明の携帯無線装置は、前記状況検出部が、当該携帯無線装置に加わる振動量を検出する振動量検出部と、当該携帯無線装置周辺の騒音量を検出する騒音量検出部とを具備し、前記状況検出部が、振動量が大きく、騒音が小さいことを検出したとき、前記通知方法制御部は、不在着信、未読、未返信メールの通知を音で行うように前記通知部を制御し、騒音が大きく、振動量が小さいことを検出したとき、前記通知方法制御部は、不在着信、未読、未返信メールの通知を振動で行うように前記通知部を制御する構成を採る。
【００１７】
又、本発明の携帯無線装置は、不在着信、未読、未返信メールの存在を通知する通知部と、不在着信、未読、未返信メールの有無を検出するメール情報検出部と、当該携帯無線装置が、通信圏外地域に進入すると予測される状況を検出する圏外進入検出部と、前記メール情報検出部からの検出出力と、前記圏外進入検出部からの検出出力に基づき、前記通知部が不在着信、未読、未返信メールの存在を通知する通知出力を出力するように、前記通知部を制御する通知方法制御部とからなる構成を採る。
【００１８】
又、本発明の携帯無線装置は、不在着信、未読、未返信メールの存在を通知する通知部と、不在着信、未読、未返信メールの有無を検出するメール情報検出部と、当該携帯無線装置のバッテリ残量が少なくなった状態を検出するバッテリ残量検出部と、前記メール情報検出部からの検出出力と、前記バッテリ残量検出部からの検出出力に基づき、前記通知部が不在着信、未読、未返信メールの存在を通知する通知出力を出力するように、前記通知部を制御する通知方法制御部とからなる構成を採る。
【００１９】
又、本発明の携帯無線装置の不在着信、未読、未返信メールの存在を通知する通知方法は、不在着信、未読、未返信メールの存在を検出する第１ステップと、当該携帯無線装置に加えられる予め定めた環境データを検出すると共に、検出した環境データの値が所定の値以上であるか否かを示す検出結果を出力する第２ステップと、前記第１ステップで検出した検出出力と、前記第２ステップからの検出出力に基づき、所定の通知頻度で、前記不在着信、未読、未返信メールの存在を通知する第３ステップと、からなる構成を採る。
【００２０】
又、本発明の携帯無線装置の不在着信、未読、未返信メールの存在を通知する通知方法は、不在着信、未読、未返信メールの存在を検出する第１ステップと、当該携帯無線装置が、通信圏外地域に進入すると予測される状況を検出する第２ステップと、前記第１ステップで検出した検出出力と、前記第２ステップで検出した検出出力に基づき、前記不在着信、未読、未返信メールの存在を通知する第３ステップと、からなる構成を採る。
【００２１】
又、本発明の携帯無線装置の不在着信、未読、未返信メールの存在を通知する通知方法は、不在着信、未読、未返信メールの存在を検出する第１ステップと、当該携帯無線装置のバッテリ残量が少なくなった状態を検出する第２ステップと、前記第１ステップで検出した検出出力と、前記第２ステップで検出した検出出力に基づき、前記不在着信、未読、未返信メールの存在を通知する第３ステップと、からなる構成を採る。
【発明の効果】
【００２２】
本発明によれば、携帯無線装置の周辺の環境状況や、携帯無線装置の位置や、携帯無線装置の装置内の状況に応じて、当該携帯無線装置内の不在着信、未読、未返信メールの通知を行うように構成したから、無駄な通知をなくして、バッテリを長持ちさせ、又、周囲の人にも迷惑をかけることのない携帯無線装置を実現できる。
【発明を実施するための最良の形態】
【００２３】
以下に、本発明の実施の形態について、図面を参照して詳細に説明する。
【００２４】
（実施の形態１）
以下、図面を参照して本発明の実施の形態１について説明する。
【００２５】
図１は、本発明の実施の形態１に係る携帯無線装置１００の構成を示すブロック図である。携帯無線装置１００は、メール情報検出部１０１と、状況検出部１０２と、通知方法制御部１０３と、通知部１０４とにより構成されている。また、状況検出部１０２内には、振動量検出部１０５を具備する構成をとる。
【００２６】
メール情報検出部１０１は、携帯無線装置１００内に現在不在着信、未読、未返信メールがあるかどうかを検出する。不在着信の有無の検出は、携帯無線装置１００の保持者が通知に気づかなかった着信があるかどうかで判別する。未読メールの有無の検出は、開封されていないメールがあるかどうかで判別する。未返信メールの有無の検出は、メール内容内に返信が必要であると予測されるキーワードが存在する場合に、返信が必要であると判別し、そのメールに対しての返信がされていない場合に未返信メールと判別する。ここでキーワードとは、期日指定、返信して欲しいという要求メッセージ等である。メール情報検出部１０１が、不在着信、未読、未返信メールが存在することを検出した場合には、通知方法制御部１０３に不在着信、未読、未返信メールの存在を伝える。
【００２７】
状況検出部１０２は、当該携帯無線装置に加えられる予め定めた環境データを検出すると共に、検出した環境データの値が所定の値以上であるか否かを示す検出結果を出力するものであり、この実施の形態１では、内部に振動量検出部１０５を具備している。振動量検出部１０５は、携帯無線装置１００の振動量を検出するものであり、振動センサを用いて振動量を測定する。なお、ここでは振動量の測定に振動センサを例に挙げたが、振動量を検出できるものであれば、どのようなものを用いても良い。状況検出部１０２は、測定した振動量と予め設定した閾値を比較し、閾値よりも大きいか小さいかの情報を振動量情報として、通知方法制御部１０３へ通知する。
【００２８】
通知方法制御部１０３は、メール情報検出部１０１から不在着信、未読、未返信メールがあることが通知され、且つ、図示していない時間情報検出部から予め設定された通知時間になったことを示す時間情報を検出すると、状況検出部１０２からの振動量情報の取得処理を行う。振動量が小さい場合は、通知部１０４の通知頻度を上げ、振動量が大きな場合は、通知部１０４の通知頻度を下げるように通知部１０４を制御し、この携帯電話装置の保持者が所定の応答操作をしない限り、予め設定された頻度で通知するように通知部１０４を制御する。なお、通知頻度を下げる操作は通知を停止させる操作でも良い。
【００２９】
通知部１０４は、携帯無線装置１００保持者に不在着信、未読、未返信メールの存在を通知するものであり、本実施の形態１では、バイブレータ等の振動で通知する方法を用いる。
【００３０】
次に、実施の形態１における携帯無線装置１００の動作について説明する。図２は、実施の形態１における携帯無線装置１００の動作を示すフローチャートである。
【００３１】
まず、ステップＳ２００において、メール情報検出部１０１が、データボックス内に不在着信、未読、未返信メールがあるかどうかを検出する。不在着信、未読、未返信メールが存在しない場合は通知動作を行わず、処理を終了する。
【００３２】
ステップＳ２００において、メール情報検出部１０１が、不在着信、未読、未返信メールの存在を検出した場合、ステップＳ２０１において、予め設定された通知時間になったことを検出すると、ステップＳ２０２で、状況検出部１０２が振動量情報の検出処理を行い、ステップＳ２０３では、状況検出部１０２が検出した振動量が、予め設定した閾値より大きいか、小さいかを判定する。振動量が小さい場合は、ステップＳ２０４で、通知方法制御部１０３が、振動を使用した通知の通知頻度を上げるように通知部１０４を制御する。一方、振動量が大きい場合は、ステップＳ２０５で、振動を使用した通知の通知頻度を下げるように通知部１０４を制御する。なお、ステップＳ２０５における操作は通知を停止させる制御でも良い。
【００３３】
ステップＳ２０６において、携帯無線装置１００保持者により、不在着信、未読、未返信メールの通知に対する応答操作が行われない場合は、ステップＳ２０２以降のステップを再度実行する。不在着信、未読、未返信メールに対する応答操作が行われた時点で処理を終了する。
【００３４】
この結果、歩行中など、携帯無線装置保持者がすでに大きな振動を体感しており、振動による通知に気づきにくい状況の場合には、無駄な通知を行わないように制御されるから、電池が長持ちし、また他人にも迷惑をかけないという効果をもたらす。
【００３５】
なお、上記したフローチャートでは、予め設定した時間になると、ステップＳ２０２で振動量情報を検出するようになっているが、振動量検出部１０５が、常時振動量を検出していて、通知方法制御部１０３が、不在着信、未読、未返信メールの存在を示す信号をメール情報検出部１０１から受信すると、直ちに、振動量情報を取り込むように構成しても良い。
【００３６】
（実施の形態２）
次に、図面を参照して本発明の実施の形態２について説明する。図３は、本発明の実施の形態２に係る携帯無線装置３００の構成を示すブロック図である。実施の形態１における図１と同一部分に同一符号を付して、その説明は省略する。
【００３７】
図３に示した実施の形態２の構成と図１に示した実施の形態１の構成との違いは、状況検出部３０２、通知方法制御部３０３及び通知部３０４の構成が、実施の形態の構成と異なり、特に、実施の形態２では、音による通知をするように構成した点である。
【００３８】
即ち、状況検出部３０２が、騒音量検出部３０５を具備していることと、通知方法制御部３０３が、騒音量検出部３０５の検出した騒音量情報に基づき、不在着信、未読、未返信メールの通知方法を制御すること、及び、通知部３０４が、音による通知を行うことである。
【００３９】
騒音量検出部３０５は、携帯無線装置３００周辺の騒音量を検出するものであり、騒音量はマイクを用いて測定する。なお、ここでは騒音量の測定にマイクを例に挙げたが、騒音量を検出できるものであれば、どのようなものを用いても良い。状況検出部３０２は、騒音量検出部３０５によって測定した騒音量と予め設定した閾値を比較し、閾値よりも大きいか小さいかの情報を騒音量情報として、通知方法制御部３０３へ通知する。
【００４０】
通知方法制御部３０３は、メール情報検出部１０１から不在着信、未読、未返信メールの存在を示す信号を受信すると、状況検出部３０２からの騒音量情報の取得処理を行う。騒音量が小さい場合は、通知頻度を上げ、騒音量が大きな場合は、通知頻度を下げるように通知部３０４を制御する。
【００４１】
通知部３０４は、携帯無線装置３００保持者に不在着信、未読、未返信メールの存在を通知するものであり、通知は音で通知する方法を用いる。
【００４２】
次に、実施の形態２における携帯無線装置３００の動作について説明する。図４は、実施の形態２における携帯無線装置３００の動作を示すフローチャートである。
【００４３】
まず、ステップＳ４００において、データボックス内に不在着信、未読、未返信メールがあるかどうかを検出する。不在着信、未読、未返信メールが存在しない場合は通知動作を行わず、処理を終了する。
【００４４】
一方、不在着信、未読、未返信メールが存在する場合、ステップＳ４０１において、予め設定された通知時間になったかどうかを検出し、通知時間になったことを検出すると、ステップＳ４０２で、状況検出部３０２が、騒音量検出部３０５からの騒音量情報の検出処理を行う。
【００４５】
ステップＳ４０３では、状況検出部３０２で取得した騒音量情報が、予め設定された閾値より大きいか小さいかを判定する。騒音量が小さい場合は、ステップＳ４０４で、音を使用した通知の通知頻度を上げるように通知部３０４を制御する。又、騒音量が大きい場合は、ステップＳ４０５で、音を使用した通知の通知頻度を下げるように通知部３０４を制御する。なお、ステップＳ４０５における操作は通知を停止させる制御でも良い。
【００４６】
ステップＳ４０６において、携帯無線装置３００の保持者により、不在着信、未読、未返信メールの通知に対する応答操作が行われない場合は、ステップＳ４０２以降のステップを再度実行する。不在着信、未読、未返信メールに対する応答操作が行われた時点で処理を終了する。
【００４７】
なお、上記したフローチャートでは、予め設定した時間になると、ステップＳ４０２で騒音量情報を検出するようになっているが、騒音量検出部３０５が、常時騒音量を検出していて、通知方法制御部３０３が、不在着信、未読、未返信メールの存在を示す信号をメール情報検出部１０１から受信すると、直ちに、騒音量情報を取り込むように構成しても良い。
【００４８】
この結果、歩行中など、携帯無線装置保持者が騒音の大きな状況において、音による通知に気づきにくい状況の場合には、無駄な通知を行わないように制御されるから、電池が長持ちし、また他人にも迷惑をかけないという効果をもたらす。
【００４９】
（実施の形態３）
次に、図面を参照して本発明の実施の形態３について説明する。図５は、本発明の実施の形態３に係る携帯無線装置５００の構成を示すブロック図である。実施の形態１、２の図１、図３と同一部分にそれぞれ同一符号を付して、その説明は省略する。
【００５０】
実施の形態１、２の構成と実施の形態３の構成との違いは、状況検出部５０２、通知方法制御部５０３及び通知部５０４の構成が、実施の形態１、２の構成と異なり、特に、実施の形態３では、通知方法制御部５０３が、振動及び音による通知をするように通知部５０４を制御するように構成した点である。
【００５１】
即ち、状況検出部５０２が、振動検出部１０５と騒音量検出部３０５を具備していることと、通知方法制御部５０３が、携帯無線装置５００を取り囲む周囲の環境状況に応じて、振動又は音を選択的に切り替えて通知するように構成することと、通知部５０４が振動と音の２つの通知手段を具備していることである。
【００５２】
振動量検出部１０５は、実施の形態１のものと同一であり、騒音量検出部３０５は、実施の形態２のものと同一である。状況検出部５０２は、測定した振動量、騒音量が大きいか小さいかの情報を通知方法制御部５０３へ通知する。
【００５３】
通知方法制御部５０３には、不在着信、未読、未返信メールの存在が、メール情報検出部１０１から通知され、予め設定された通知時間になったことを検出すると、状況検出部５０２から振動情報、騒音情報の取得を行う。
【００５４】
通知設定が、予めバイブレータ等の「振動による通知」であると設定されている場合には、初めに振動量情報を用いた通知方法の制御を行う。この場合、振動量が小さな場合は、バイブレータ等の振動を用いた通知の通知頻度を上げる制御を行う。一方、振動量が大きい場合には、次に、騒音量情報を用いた通知方法の制御を行う。振動が大きく、騒音が小さな場合には、通知方法をバイブレータ等の振動による通知から音による通知に切り替える制御を行う。又、振動、騒音ともに大きな場合は、予め通知設定されていたバイブレータ等の振動による通知の通知頻度を下げる制御を行う。
【００５５】
通知設定が、予め「音による通知」であると設定されている場合には、初めに騒音量情報を用いた通知方法の制御を行う。騒音量が小さな場合は、音を用いた通知の通知頻度を上げる制御を行う。騒音量が大きい場合には、振動量情報を用いた通知方法の制御を行う。騒音が大きく、振動が小さな場合には、通知方法を音による通知からバイブレータ等の振動による通知に切り替える制御を行う。騒音、振動ともに大きな場合は、予め通知設定されていた音による通知の通知頻度を下げる制御を行う。
【００５６】
次に、実施の形態３における携帯無線装置５００の動作について説明する。図６は、実施の形態３における携帯無線装置５００の動作を示すフローチャートである。
【００５７】
まず、ステップＳ６００において、データボックス内に不在着信、未読、未返信メールがあるかどうかを検出する。不在着信、未読、未返信メールが存在しない場合は通知動作を行わず、処理を終了する。
【００５８】
ステップＳ６０１において、通知時間になったことを検出すると、ステップＳ６０２で状況検出部５０２が、振動量、騒音量情報の検出処理を行う。
【００５９】
ステップＳ６０３では、現在の通知設定が、バイブレータ等の振動による通知か、音による通知かを判別する。通知設定が、振動による通知に設定されている場合、先ず、振動量情報を用いた制御を行う。
【００６０】
ステップＳ６０４において、振動量が大きいか小さいかを判定し、振動量が小さいと判別された場合は、ステップＳ６０５でバイブレータ等の振動を用いた通知を行うと共に、その通知頻度を上げるように通知部５０４を制御する。一方、振動が大きい場合には、騒音量情報を用いた制御を行う。この場合、ステップＳ６０６で、騒音量が大きいか小さいかを判定し、騒音が小さいと判別されると、ステップＳ６０７において、バイブレータ等の振動による通知方法から音による通知方法に切り替える制御を行う。騒音量も大きな場合には、ステップＳ６０８において、予め設定されていたバイブレータ等の振動による通知の通知頻度を下げるように通知部５０４を制御する。
【００６１】
次に、ステップＳ６０３において、通知設定が音による通知に設定されている場合の制御について説明する。
【００６２】
ステップＳ６１４において、騒音量が小さいと判別された場合は、ステップＳ６１５で音を用いた通知を行うと共に、その通知頻度を上げるように通知部５０４を制御する。又、騒音が大きい場合には、振動量情報を用いた制御を行う。この場合、ステップＳ６１６で、振動が小さいと判別されると、ステップＳ６１７において、音による通知方法からバイブレータ等の振動による通知方法に切り替える制御を行う。一方、振動量が大きい場合には、ステップＳ６１８において、予め設定されていた音による通知を行うと共に、その通知頻度を下げるように通知部５０４を制御する。
【００６３】
ステップＳ６０９において、携帯無線装置５００保持者により、不在着信、未読、未返信メールの通知に対する応答操作が行われない場合は、ステップＳ６０２以降のステップを再度実行するが、不在着信、未読、未返信メールに対する応答操作が行われた時点で処理を終了する。
【００６４】
また、本実施の形態では、予め設定した通知方法を変更するように構成しているが、通知方法を切り替えて欲しくないという利用者のために、設定で「切り替えあり」、「切り替えなし」を選択することができるように構成することも可能である。「切り替えなし」を選択した場合は、実施の形態１または実施の形態２と同一の動作を行う。
【００６５】
本実施の形態の動作を行うことによって、利用者が歩行中など、すでに大きな振動を体感しており、バイブレータ等の振動を用いて通知を行っても通知に気づきにくい状況の場合には、通知方法をバイブレータ等の振動による通知から音による通知に切り替え、利用者が騒音の大きな状況において、音による通知を行っても通知に気づきにくい状況の場合には、音による通知方法からバイブレータ等の振動を用いる通知方法に切り替える制御を行えるため、ユーザが、より通知に気づきやすくなるという効果をもたらす。
【００６６】
（実施の形態４）
次に、図面を参照して本発明の実施の形態４について説明する。図７は、本発明の実施の形態４に係る携帯無線装置７００の構成を示すブロック図である。実施の形態１における図１と同一部分に同一符号を付して、その説明は省略する。
【００６７】
図７に示した実施の形態４の構成と図１に示した実施の形態１の構成との違いは、状況検出部７０２、通知方法制御部７０３及び通知部７０４の構成が、実施の形態１の構成と異なり、特に、実施の形態４では、状況検出部７０２が、通信圏外進入検出部（以下、圏外進入検出部という）７０５を具備していることと、通知方法制御部７０３が、通信圏外進入情報に基づいて、通知部７０４の通知方法を制御することである。また、実施の形態１の通知部１０４では、バイブレータ等の振動による通知のみを行ったが、本実施の形態の通知部７０４では、バイブレータ等の振動による通知に限定せず、音、光等その他の通知方法であっても良い。
【００６８】
本実施の形態４の状況検出部７０２は、その内部に圏外進入検出部７０５を具備している。圏外進入検出部７０５は、携帯無線装置７００が通信圏外地域に進入するかどうかを検出するものであり、以下の方法を用いて通信圏外地域に進入するかどうかを判別する。
（１）携帯無線装置７００に具備されたアンテナ等からの受信電波強度の測定を行い、電波強度がある閾値を下回った場合には、まもなく通信圏外地域に進入すると判断する。
（２）ＧＰＳ(Global Positioning System)等を用いて位置情報を測定する位置情報測定回路を設け、この位置情報測定回路を用いて、携帯無線装置７００の現在地情報を測定し、例えば、空港などしばらく時間が経過すると通信圏外になると予測される場所にいる場合には、まもなく通信圏外地域に進入する可能性があると判断する。
（３）ネットワーク等から予め通信圏外地域情報を取得しておき、予め取得した通信圏外地域情報に基づき、通信圏外地域に携帯無線装置７００が近づいたことを検出したときに、通信圏外地域にまもなく進入すると判断する。
（４）携帯無線装置７００が、以前どの場所で長期間通信圏外状態になったかを記憶して学習しておき、携帯無線装置７００が学習した場所に近づいた場合には、まもなく通信圏外地域に進入すると判断する。
【００６９】
状況検出部７０２は、通信圏外への進入が予測されることを示す情報を通信圏外進入情報として、通知方法制御部７０３へ通知する。
【００７０】
通知方法制御部７０３は、メール情報検出部１０１から不在着信、未読、未返信メールがあることが通知されると、状況検出部７０２からの通信圏外進入情報の取得処理を行う。一方、通信圏外地域にしばらく進入しないと判断した場合は、不在着信、未読、未返信メールの通知動作を行わない。通信圏外地域にまもなく進入すると判断された場合には、携帯無線装置７００の保持者に不在着信、未読、未返信メールの通知を行う。
【００７１】
次に、実施の形態４における携帯無線装置７００の動作について説明する。図８は、実施の形態４における携帯無線装置７００の動作を示すフローチャートである。
【００７２】
まず、ステップＳ８００において、データボックス内に不在着信、未読、未返信メールがあるかどうかを検出する。不在着信、未読、未返信メールが存在しない場合は通知動作を行わず、処理を終了する。
【００７３】
不在着信、未読、未返信メールが存在する場合、ステップＳ８０１において、予め設定した通知時間になったかどうかを検出し、通知時間になったことを検出すると、ステップＳ８０４において、不在着信、未読、未返信メール通知の通知頻度を設定し、その後、ステップＳ８０５において、不在着信、未読、未返信メールの通知処理が行われる。そして、ステップＳ８０６で、携帯無線装置９００の保持者により、不在着信、未読、未返信メールの通知に対する応答操作が行われると、処理を終了するが、ステップＳ８０６で、不在着信、未読、未返信メールの通知に対する応答操作が行われないと、ステップＳ８０５、Ｓ８０６の通知動作を繰り返す。
【００７４】
一方、ステップＳ８０１において設定時間になっていない場合には、ステップＳ８０２で、状況検出部７０２が、通信圏外進入情報の検出処理を行う。
【００７５】
ステップＳ８０３では、ステップＳ８０２で取得した通信圏外進入情報に基づき、圏外地域に進入しそうか否かを判断し、通信圏外地域に進入しないと判断された場合は、不在着信、未読、未返信メールの通知を行わず、ステップＳ８０１以降のステップを再度実行する。一方、通信圏外地域に進入すると判断された場合は、ステップＳ８０４で、不在着信、未読、未返信メール通知の通知頻度を設定し、ステップＳ８０５で、不在着信、未読、未返信メールの通知処理を行うように通知部７０４を制御する。ステップＳ８０６で、携帯無線装置７００の保持者により、不在着信、未読、未返信メールの通知に対する応答操作が行われると、処理を終了するが、応答操作が行われないと、ステップＳ８０５、Ｓ８０６の通知動作を繰り返す。
【００７６】
この結果、携帯無線装置保持者は、通信圏外地域に入る前に、不在着信や未読、未返信メールに対する返信操作を行うことが可能になる。
【００７７】
（実施の形態５）
次に、図面を参照して本発明の実施の形態５について説明する。図９は、本発明の実施の形態５に係る携帯無線装置９００の構成を示すブロック図である。実施の形態１における図１との同一部分に同一符号を付して、その説明は省略する。
【００７８】
図１との主な違いは、状況検出部９０２がバッテリ残量検出部９０５を具備していることと、通知方法制御部９０３が、バッテリ残量情報に基づき通知方法を制御することである。また、実施の形態１の図１における通知部１０４では、バイブレータ等の振動による通知のみを行ったが、本実施の形態の通知部９０４では、バイブレータ等の振動による通知に限定せず、音、光等その他の通知方法であっても良い。
【００７９】
本実施の形態の状況検出部９０２は、内部にバッテリ残量検出部９０５を具備している。バッテリ残量検出部９０５は、携帯無線装置９００のバッテリ残量を検出するものである。状況検出部９０２は、バッテリ残量検出部９０５が測定したバッテリ残量と予め設定した閾値とを比較し、閾値よりも大きいか小さいかの情報をバッテリ残量情報として、通知方法制御部９０３へ通知する。
【００８０】
通知方法制御部９０３は、メール情報検出部１０１から不在着信、未読、未返信メールがあることが通知されると、状況検出部９０２からのバッテリ残量情報の取得処理を行う。バッテリ残量が大きい場合は、不在着信、未読、未返信メールの通知動作を行わない。バッテリ残量が小さい場合には、携帯無線装置９００の保持者に不在着信、未読、未返信メールの通知を行う。
【００８１】
次に、実施の形態５における携帯無線装置９００の動作について説明する。図１０は、実施の形態５における携帯無線装置９００の動作を示すフローチャートである。
【００８２】
まず、ステップＳ１０００において、データボックス内に不在着信、未読、未返信メールがあるかどうかを検出する。不在着信、未読、未返信メールが存在しない場合は通知動作を行わず、処理を終了する。
【００８３】
不在着信、未読、未返信メールが存在する場合、ステップＳ１００１において、予め設定された通知時間になったかどうかを検出し、通知時間になったことを検出すると、ステップＳ１００４において、不在着信、未読、未返信メール通知の通知頻度を設定し、その後、ステップＳ１００５において、不在着信、未読、未返信メールの通知処理が行われる。ステップＳ１００６で、携帯無線装置９００の保持者により、不在着信、未読、未返信メールの通知に対する応答操作が行われると、処理を終了するが、ステップＳ１００５で、不在着信、未読、未返信メールの通知に対する応答操作が行われないと、ステップＳ１００５、Ｓ１００６の通知動作を繰り返す。
【００８４】
又、ステップＳ１００１において設定時間になっていない場合、ステップＳ１００２で状況検出部９０２が、バッテリ残量情報の検出処理を行う。
【００８５】
ステップＳ１００３では、ステップＳ１００２で取得したバッテリ残量情報に基づき、バッテリ残量が予め設定した閾値を下回っているかを判断し、バッテリ残量が多い場合は不在着信、未読、未返信メールの通知を行わず、ステップＳ１００１以降のステップを再度実行する。
【００８６】
又、ステップＳ１００３で、バッテリ残量が閾値を下回っていることを検出したときには、ステップ１００４で、不在着信、未読、未返信メール通知の通知頻度を設定し、ステップＳ１００５で不在着信、未読、未返信メールの通知処理を行うように、通知部９０４を制御する。この場合、ステップＳ１００６で、携帯無線装置９００の保持者により、不在着信、未読、未返信メールの通知に対する応答操作が行われると、処理を終了するが、ステップＳ１００６で、不在着信、未読、未返信メールの通知に対する応答操作が行われないと、ステップＳ１００５、Ｓ１００６の通知動作を繰り返す。
【００８７】
この結果、移動無線装置保持者がバッテリ切れのため、不在着信に対するリダイアル、未返信メールに対するメールの返信ができないという状況を回避することができる。
【産業上の利用可能性】
【００８８】
本発明は、特に、不在着信、未読、未返信メールの通知を行う携帯無線装置に好適である。
【図面の簡単な説明】
【００８９】
【図１】本発明の実施の形態１に係わる携帯無線装置の構成を示すブロック図
【図２】本発明の実施の形態１に係わる携帯無線装置の動作を示すフローチャート
【図３】本発明の実施の形態２に係わる携帯無線装置の構成を示すブロック図
【図４】本発明の実施の形態２に係わる携帯無線装置の動作を示すフローチャート
【図５】本発明の実施の形態３に係わる携帯無線装置の構成を示すブロック図
【図６】本発明の実施の形態３に係わる携帯無線装置の動作を示すフローチャート
【図７】本発明の実施の形態４に係わる携帯無線装置の構成を示すブロック図
【図８】本発明の実施の形態４に係わる携帯無線装置の動作を示すフローチャート
【図９】本発明の実施の形態５に係わる携帯無線装置の構成を示すブロック図
【図１０】本発明の実施の形態５に係わる携帯無線装置の動作を示すフローチャート
【符号の説明】
【００９０】
１００、３００、５００、７００、９００  携帯無線装置
１０１  メール情報検出部
１０２、３０２、５０２、７０２、９０２  状況検出部
１０３、３０３、５０３、７０３、９０３  通知方法制御部
１０４、３０４、５０４、７０４、９０４  通知部
１０５  振動量検出部
３０５  騒音量検出部
７０５  通信圏外進入検出部
９０５  バッテリ残量検出部
【図１】
2006094421.tif 000003
【図２】
2006094421.tif 000004
【図３】
2006094421.tif 000005
【図４】
2006094421.tif 000006
【図５】
2006094421.tif 000007
【図６】
2006094421.tif 000008
【図７】
2006094421.tif 000009
【図８】
2006094421.tif 000010
【図９】
2006094421.tif 000011
【図１０】
2006094421.tif 000012